(57)【要約】  気道チューブ、カフス、及びカフスの選択的な膨張及び／又は収縮のための膨張チューブとを備えている人工気道デバイスと共に使用するための取り外し可能なコネクタが提供され、コネクタは、気道チューブのルーメンの中に挿入することができる導管を備え、コネクタは、気道チューブのルーメンから取り外して交換できるように構成されている。
2021529616.tif 000002
【特許請求の範囲】
【請求項１】
気道チューブ、カフス、及び前記カフスの選択的な膨張及び／又は収縮のための膨張チューブとを備えている、人工気道デバイスと共に使用するための取り外し可能なコネクタであって、
前記コネクタは、前記気道チューブのルーメンの中に挿入することができる導管を備え、前記コネクタは、前記気道チューブの前記ルーメンから取り外して交換できるように構成されている、取り外し可能なコネクタ。
【請求項２】
前記コネクタの前記導管は、前記コネクタを前記気道チューブの前記ルーメンから取り外すのを可能にするように構成することができる、請求項１に記載の取り外し可能なコネクタ。
【請求項３】
前記コネクタの前記導管は、前記気道チューブの前記ルーメンの内面と協働することができる複数の外部円周方向の摩擦低減構造体を有することで前記気道チューブの前記ルーメンから取り外すのに適する、請求項１又は２に記載の取り外し可能なコネクタ。
【請求項４】
前記導管の前記外面は、前記気道チューブのルーメンの前記内面の対応するねじと協働するねじ山を備えている、請求項１又は２に記載の取り外し可能なコネクタ。
【請求項５】
前記導管の前記外面は、前記気道チューブとの押込み嵌め又は摩擦嵌めによって、前記気道チューブのルーメンの内面と協働する、請求項１又は２に記載の取り外し可能なコネクタ。
【請求項６】
前記コネクタは、前記気道チューブの前記ルーメンの中に挿入することができるルーメンを定める円周方向壁を有する導管を備えている、請求項１から５のいずれかに記載の取り外し可能なコネクタ。
【請求項７】
前記コネクタぼ前記導管は、前記気道チューブの近位端に設けられた予め形成されたコネクタセクションから取り外されるのに適合する、請求項６に記載の取り外し可能なコネクタ。
【請求項８】
前記気道チューブの前記予め形成されたコネクタセクションは、前記コネクタを収容する大きさである、請求項７に記載の取り外し可能なコネクタ。
【請求項９】
前記予め形成されたコネクタセクションは、前記気道チューブの遠位端の直径よりも広い直径を有する、請求項７又は８に記載の取り外し可能なコネクタ。
【請求項１０】
前記予め形成されたコネクタセクションは、実質的に楕円の直径を有する、請求項７から９のいずれかに記載の取り外し可能なコネクタ。
【請求項１１】
前記コネクタは、前記導管を取り囲むコネクタプレートを備えている、請求項１から１０のいずれかに記載の取り外し可能なコネクタ。
【請求項１２】
前記コネクタプレートは、前記導管の軸線に対して略直交する角度で前記導管から延びる、請求項１から１１のいずれかに記載の取り外し可能なコネクタ。
【請求項１３】
前記コネクタは、前記コネクタを前記人工気道デバイスに係留する手段を備えている、請求項１から１１のいずれかに記載の取り外し可能なコネクタ。
【請求項１４】
前記係留手段は、前記コネクタの一部と係合する前記膨張チューブを包む、請求項１３に記載の取り外し可能なコネタ。
【請求項１５】
前記コネクタは、前記膨張チューブの長さに沿って自由に動くように構成される、請求項１３又は１４に記載の取り外し可能なコネクタ。
【請求項１６】
前記係留手段は、前記膨張チューブが前記コネクタから取り外し不可能であるように、前記膨張チューブを係留状態で保持する、請求項１３から１５のいずれかに記載の取り外し可能なコネクタ。
【請求項１７】
前記膨張チューブを係留する前記係留手段は、前記コネクタプレートの中に設けられた少なくとも１つの開口を含む、請求項１３から１６のいずれかに記載の取り外し可能なコネクタ。
【請求項１８】
前記少なくとも１つの開口は、前記コネクタプレートの素材の中に設けられた閉じた開口である、請求項１７に記載の取り外し可能なコネクタ。
【請求項１９】
前記係留手段は、前記膨張チューブを前記コネクタに取り付けること及び／又はそこから取り外すことを可能にする、請求項１３から１８のいずれかに記載の取り外し可能なコネクタ。
【請求項２０】
前記膨張チューブを係留する前記係留手段は、前記膨張チューブを前記コネクタに取り付けること及び／又はそこから取り外すことを可能にするクリップを備えている、請求項１９に記載の取り外し可能なコネクタ。
【請求項２１】
前記クリップは、前記コネクタ上に設けられる、請求項２０に記載の取り外し可能なコネクタ。
【請求項２２】
前記クリップは、前記コネクタプレート上に設けられる、請求項２０又は２１に記載の取り外し可能なコネクタ。
【請求項２３】
前記膨張チューブを係留する前記係留手段は、１箇所が開いた少なくとも１つの開口を備えている、請求項２０から２２のいずれかに記載の取り外し可能なコネクタ。
【請求項２４】
前記少なくとも１つの開いた開口は、前記クリップを形成し、前記膨張チューブを前記コネクタに選択的に取り付ける及び／又はそこから取り外すことができるように構成されている、請求項２３に記載の取り外し可能なコネクタ。
【請求項２５】
前記少なくとも１つの開いた開口は、前記コネクタプレート上に設けられる、請求項２３又は２４に記載の取り外し可能なコネクタ。
【請求項２６】
前記コネクタの前記少なくとも１つの開いた又は閉じた開口の直径及び前記膨張チューブの直径は、前記膨張チューブが前記少なくとも１つの開いた又は閉じた開口の中を自由に滑動できるように構成されている、請求項１７から２５のいずれかに記載の取り外し可能なコネクタ。
【請求項２７】
前記コネクタプレートは、凹部を備えている、請求項１１から２６のいずれかに記載の取り外し可能なコネクタ。
【請求項２８】
前記カフスは、膨張可能である、請求項１から２７のいずれかに記載の取り外し可能なコネクタ。
【請求項２９】
前記膨張チューブは、前記膨張チューブから切り離すことができるカフス圧力監視装置又はパイロット弁を備えている、請求項２８に記載の取り外し可能なコネクタ。
【請求項３０】
前記カフス圧力監視装置又はパイロット弁は、カフス圧力の損失なしに前記膨張チューブから切り離すことができる、請求項２９に記載の取り外し可能なコネクタ。
【請求項３１】
前記コネクタは、別個のバイトブロックに接続される、請求項１から２９のいずれかに記載の取り外し可能なコネクタ。
【請求項３２】
前記コネクタは、一体のバイトブロックを備えている、請求項１から２２のいずれかに記載の取り外し可能なコネクタ。
【請求項３３】
前記コネクタの前記導管は、一定直径を有する、請求項３１又は３２に記載の取り外し可能なコネクタ。
【請求項３４】
前記コネクタは、ＰＶＣから成る、請求項１から３３のいずれかに記載の取り外し可能なコネクタ。
【請求項３５】
ラリンジアルマスクデバイスと共に使用するための、請求項１から３４のいずれかに記載の取り外し可能なコネクタ。
【請求項３６】
患者の肺換気を促進するための人工気道デバイスであって、前記人工気道デバイスは、
ルーメンを含む気道チューブと、
前記気道チューブの一端のマスクと、
を備え、
前記マスクは、バックプレートを含むと共に喉頭口の周囲の周りにシールを形成することができるカフスを有し、前記カフスは、前記マスクの中空の内部空間又はルーメンを取り囲み、前記気道チューブは、前記マスクの前記ルーメンの中に開口し、
前記人工気道デバイスは、さらに、
前記カフスを選択的に膨張及び／又は収縮させるための膨張チューブと、
前記気道チューブの近位端に配置された取り外し可能なコネクタと、
を備え、
前記コネクタは、前記気道チューブのルーメンの中に挿入することができる導管を備え、前記コネクタは、前記気道チューブの前記ルーメンから取り外して交換できるように構成されている、デバイス。
【請求項３７】
前記導管は、前記コネクタを前記気道チューブの前記ルーメンから取り外すのを可能にするように構成される、請求項３６に記載のデバイス。
【請求項３８】
前記コネクタの前記導管は、前記気道チューブの前記ルーメンの内面と協働することができる複数の外部円周方向の摩擦低減構造体を有することで前記気道チューブの前記ルーメンから取り外すのに適する、請求項３６又は３７に記載のデバイス。
【請求項３９】
前記導管の前記外面は、前記気道チューブのルーメンの前記内面の対応するねじと協働するねじ山を備えている、請求項３６又は３７に記載のデバイス。
【請求項４０】
前記導管の前記外面は、前記気道チューブとの押込み嵌め又は摩擦嵌めによって、前記気道チューブのルーメンの内面と協働する、請求項３６又は３７に記載のデバイス。
【請求項４１】
前記コネクタは、前記導管を取り囲むコネクタプレートを備えている、請求項３６から４０のいずれかに記載のデバイス。
【請求項４２】
前記コネクタプレートは、前記導管の軸線に対して略直交する角度で前記導管から延びる、請求項４１に記載のデバイス。
【請求項４３】
前記コネクタは、前記コネクタを前記人工気道デバイスに係留する手段を備えている、請求項３６から４２のいずれかに記載のデバイス。
【請求項４４】
前記コネクタは、前記膨張チューブの長さに沿って自由に動くように構成される、請求項４３に記載のデバイス。
【請求項４５】
前記係留手段は、前記コネクタの一部と係合する前記膨張チューブを包む、請求項４３又は４４に記載のデバイス。
【請求項４６】
前記係留手段は、前記膨張チューブが前記コネクタから取り外し不可能であるように、前記膨張チューブを係留状態で保持する、請求項４３から４５のいずれかに記載のデバイス。
【請求項４７】
前記係留手段は、前記コネクタプレートの中に設けられた少なくとも１つの開口を含む、請求項４３から４６のいずれかに記載のデバイス。
【請求項４８】
前記少なくとも１つの開口は、前記コネクタプレートの素材の中に設けられた閉じた開口である、請求項４７に記載のデバイス。
【請求項４９】
前記少なくとも１つの開口は、前記膨張チューブが前記コネクタから取り外し不可能であるように、前記膨張チューブが係留状態で保持されるように閉じている、請求項４６又は４７に記載のデバイス。
【請求項５０】
前記係留手段は、前記膨張チューブを前記コネクタに取り付けること及び／又はそこから取り外すことを可能にする、請求項３６から４５のいずれかに記載のデバイス。
【請求項５１】
前記係留手段は、クリップを備えている、請求項５０に記載のデバイス。
【請求項５２】
前記クリップは、前記コネクタ上に設けられる、請求項５１に記載のデバイス。
【請求項５３】
前記クリップは、前記コネクタプレート上に設けられる、請求項５１又は５２に記載のデバイス。
【請求項５４】
前記クリップは、１箇所が開いた開口である、請求項５１から５３のいずれかに記載のデバイス。
【請求項５５】
前記カフスは、膨張可能である、請求項３６から５４のいずれかに記載のデバイス。
【請求項５６】
前記膨張チューブは、前記カフスの中の圧力を監視及び／又は制御するための手段に取り付けられる、請求項３６から５５のいずれかに記載のデバイス。
【請求項５７】
前記デバイスは、前記コネクタとは別個のバイトブロックを備えている、請求項３６から５６のいずれかに記載のデバイス。
【請求項５８】
前記コネクタは、前記コネクタと一体のバイトブロックを備えている、請求項３６から５７のいずれかに記載のデバイス。
【請求項５９】
前記デバイスは、ＰＶＣ及び／又はシリコーンなどのプラスチック材料で構成される、請求項３６から５８のいずれかに記載のデバイス。
【請求項６０】
前記コネクタは、ＰＶＣから成る、請求項３６から５９のいずれかに記載のデバイス。
【請求項６１】
前記膨張チューブは、シリコーンから成る、請求項３６から６０のいずれかに記載のデバイス。
【請求項６２】
取り外し可能なコネクタを備えている人工気道デバイスを使用する方法であって、前記コネクタが膨張チューブに係留される、方法。
【請求項６３】
本発明の第２の態様による人工気道デバイスを使用して患者を治療する方法。
【発明の詳細な説明】
【技術分野】
【０００１】
本発明は、コネクタに関し、より詳細には、ラリンジアルマスクデバイスのためのコネクタに関する。
【背景技術】
【０００２】
ラリンジアルマスクデバイスなどの人工気道デバイスは、意識不明の患者の気道を確保するのに有用な良く知られたデバイスである。最も基本的な形態では、ラリンジアルマスクデバイスは、気道チューブと気道チューブの一端に保持されたマスクとから成り、マスクは、「カフス（ｃｕｆｆ）」として知られる周縁形成体を有し、これは、喉頭口の周りにシールを形成するように、患者喉頭の後方の実在の及び見込まれる空間に一致してその中に適合することができる。カフスは、膨張可能とすることができ、多くの変形形態において、カフスは、マスクの中空の内部空間又はルーメンを取り囲み、少なくとも１つの気道チューブがこのルーメンに通じる。米国特許第４，５０９，５１４号は、ラリンジアルマスクデバイスを記載する多くの公報のなかの１つである。このようなデバイスは、長年にわたって使用されており、旧式の良く知られている気管内チューブの代替手段を提供する。少なくとも７０年にわたって、インフレータブルバルーンがその遠位端に配置される細長いチューブから成る気管内チューブが、意識不明の患者の気道を確保するために使用されている。作動時、気管内チューブの遠位端は、患者の口腔を通って挿入され、患者の気管を過ぎる。このように位置付けられると、バルーンは、気管の内壁とシールを形成するようにように膨張する、このシールが確立された後、チューブの近位端に正圧を加えて患者の肺に通気することができる。また、バルーンと気管内壁との間のシールは、肺への吸い込みから保護する（例えば、シールは、胃から逆流する物質が患者の肺の中に吸引されるのを阻止する）。
【０００３】
これは上手くいっているが、気管内チューブにはいくつかの大きな欠点がある。気管内チューブの主たる欠点は、チューブを適切に挿入するのが難しいことに関連する。気管内チューブを患者に挿入することは、高度のスキルを必要とする手法である。また、スキルのある施術者であっても、気管内チューブの挿入は、時として難しか又は不可能である。多くの場合、気管内チューブの挿入の難しさは、十分に迅速に患者の気道を確保できなかったという理由で、患者の悲劇的な死亡につながっている。また、通常、気管内チューブの挿入は、患者の頭部及び頸部の操作を必要とし、さらに患者の顎を強制的に広く開く必要がある。これらの必要な操作は、頸部の負傷を患っているであろう患者の中に気管内チューブを挿入するのを難しくするか又は望ましくないものにする。
【０００４】
気管内チューブとは対照的に、ラリンジアルマスクデバイスを患者に挿入して結果的に気道を確保するのは比較的容易である。また、ラリンジアルマスクデバイスは、不適切に挿入されたとしても依然として気道を確保するのに役立つという点で「寛容な」デバイスである。従って、ラリンジアルマスクデバイスは、多くの場合、「人命救助」デバイスとして考えられる。また、ラリンジアルマスクデバイスは、患者の頭部、頸部、又は顎の比較的わずかな規模の操作だけで挿入することができる。さらに、ラリンジアルマスクデバイスは、敏感な気管内壁に接触する必要なしに患者の肺の通気を可能にし、気道チューブの内径は、一般的に気管内チューブの内径よりも非常に大きい。また、ラリンジアルマスクデバイスは、気管内チューブと同じ程度まで咳嗽を妨げることがない。主としてこれらの利点によって、ラリンジアルマスクデバイスは、近年、高まる人気を享受している。
【０００５】
米国特許第４，５０９，５１４号は、ラリンジアルマスクデバイスの全てを網羅していないが大部分を構成する基本部品、すなわち患者の喉頭の後方に容易に適合するように形作られた中空マスク部の内部に一端が開口する気道チューブから成るラリンジアルマスクデバイスを説明する。マスクの周縁部は、カフスによって形成され、カフスは、喉頭の開口部の周りのシールを形成するために用いられる。これによって、気道を効果的に確保することができる。
【０００６】
胃排出ドレナージのための特定の装備を備えているラリンジアルマスクデバイスが開発されており、米国特許第４，９９５，３８８号（図７から１０）、米国特許第５，２４１，９５６号、及び米国特許第５，３５５，８７９号に例示されている。これらのデバイスは、一般的に、マスクの遠位端に位置する端部をを有する小径のドレナージチューブを組み込んでおり、マスクが所定位置にある場合に上部食道括約筋の上端に接触して横たわるようになっており、チューブは、上部食道括約筋からの胃排出物の積極的な又は受動的な除去を可能にするために、患者の口腔から抜け出して延びるのに十分な長さである。代替的な提案によれば、ドレナージチューブは、マスクの遠位端を通り過ぎて食道自体の中に延びることができる（米国特許第４，９９５，３８８号、図７から１０）。
【０００７】
現在、ラリンジアルマスクデバイスは、気管内チューブの挿入を助けるため一般的に使用されており、このようなデバイスは、挿管喉頭マスクと呼ばれており、その例は、本出願人が所有する「Ｆａｓｔｒａｃｈ（商標）」マスクである。
【０００８】
一部のラリンジアルマスクデバイスに関連する１つの問題点は、典型的にコネクタがデバイスに取り付けられ、そこから取り外すことができない点である。従って、コネクタを交換又は取り換える場合に、全てのラリンジアルマスクデバイスを交換する必要があり、これには、追加の時間がかかり及び／又は医学的手技の間に臨床医が利用できる柔軟性が低下する。
【０００９】
一部のラリンジアルマスクデバイスに関連する他の問題点は、コネクタを気道デバイスから取り外す場合、コネクタを気道デバイスにしっかり固定するものがなく、臨床手技の間にコネクタを失う可能性がある。臨床手技の間に、手技の間に迅速にアクセスする必要があるのでコネクタなどの小さな物体を失わないことが重要である。
【先行技術文献】
【特許文献】
【００１０】
【特許文献１】米国特許第４，５０９，５１４号
【特許文献２】米国特許第４，９９５，３８８号
【特許文献３】米国特許第５，２４１，９５６号
【特許文献４】米国特許第５，３５５，８７９号
【発明の概要】
【発明が解決しようとする課題】
【００１１】
本発明は、上記の従来技術に関連する問題点を改善しようとするものである。
【課題を解決するための手段】
【００１２】
本発明の第１の態様によれば、気道チューブ、カフス、及びカフスの選択的な膨張及び／又は収縮のための膨張チューブとを備えている、人工気道デバイスと共に使用するための取り外し可能なコネクタが提供され、コネクタは、気道チューブのルーメンの中に挿入することができる導管を備え、コネクタは、気道チューブのルーメンから取り外して交換できるように構成されている。
【００１３】
好ましくは、コネクタの導管は、コネクタを気道チューブのルーメンから取り外すのを可能にするように構成することができる。好都合には、取り外し可能なコネクタを提供することは、臨床医に医学的手技の間に大きな柔軟性をもたらす。好都合には、コネクタの導管を気道デバイスから取り外すことにより、他のコネクタを接続することができる、及び／又は、気道チューブの操作及び／又は気道チューブを通して他のデバイスの挿入を行うことができる。好ましくは、コネクタは、気道デバイスの気道チューブを空気供給源に接続するために利用することができる。
【００１４】
コネクタの導管は、気道チューブのルーメンの内面と協働することができる複数の外部円周方向の摩擦低減構造体を有することで気道チューブのルーメンから取り外すのに適することができることが好ましい。１つの実施形態において、気道チューブのルーメンの内面は、導管の外面と協働することができる複数の円周方向の摩擦低減構造体を備えることができる。１つの実施形態において、コネクタの導管は、滑らかな表面をもつことができる。別の実施形態において、導管の外面は、気道チューブのルーメンの内面の対応するねじと協働するねじ山を備えている。別の実施形態において、導管の外面は、気道チューブとの押込み嵌め又は摩擦嵌めによって、気道チューブのルーメンの内面と協働する。好都合には、協働手段及び／又はコネクタの導管の外面と気道チューブのルーメンの内面との間の摩擦嵌めによって、コネクタの導管は、デバイスの使用時に気道チューブの中の所定位置にしっかり保持することができ、さらにコネクタは、必要な場合に気道チューブ６から取り外すことができる。
【００１５】
コネクタの導管は、好ましくは気道チューブの近位端に設けられた予め形成されたコネクタセクションから取り外すのに適することができることが好ましい。好ましくは、気道チューブの予め形成されたコネクタセクションは、コネクタを収容する大きさである。好ましくは、気道チューブの予め形成されたコネクタセクションは、気道チューブの遠位端の直径よりも広い直径を有する。好ましくは、気道チューブの遠位端は、略円形の直径を有し、気道チューブの遠位端の上側及び下側での壁厚は、気道チューブの遠位端の左側及び右側での壁厚と実質的に同じである。
【００１６】
好ましくは、気道チューブの予め形成されたコネクタセクションは、略楕円形である。好ましくは、気道チューブの予め形成されたコネクタセクションの近位端は、略楕円形である。好ましくは、気道チューブの予め形成されたコネクタセクションの上部及び下部での壁厚は、気道チューブの予め形成されたコネクタセクションの左側及び右側での壁厚よりも大きい。好都合には、気道チューブの予め形成されたコネクタセクションの楕円形は、気道チューブの中にしっかりと保持するのを助けると同時に、必要な場合にコネクタを気道チューブから取り外すのを可能にする。
【００１７】
好ましくは、気道チューブの予め形成されたコネクタセクションの内面は、導管の外面と協働することができる複数の円周方向の摩擦低減構造体を備えることができる。好都合には、このことは、デバイスの使用時にコネクタを気道チューブの中の所定位置にしっかりと保持するのを可能にすると同時に、必要な場合にコネクタを気道チューブから取り外すのを可能にする。
【００１８】
好ましくは、膨張チューブは、デバイスのカフスに接続される。
【００１９】
好ましくは、コネクタは、気道チューブのルーメンの中に挿入することができるルーメンを定める円周方向壁を有する導管を備えている。好ましくは、コネクタは、導管を取り囲むコネクタプレートを備えている。好ましくは、コネクタプレートは、導管の軸線に対して実質的に直交する角度で導管から延びる。
【００２０】
好ましくは、コネクタは、コネクタを人工気道デバイスに係留する係留手段を備えている。好ましくは、コネクタは、コネクタを人工気道デバイスの気道チューブに係留する係留手段を備えている。
【００２１】
好ましくは、コネクタを気道デバイスに係留する係留手段は、コネクタの一部に係合する膨張チューブを包む。
【００２２】
好ましくは、コネクタは、膨張チューブの長さに沿って自由に動くことができる。好ましくは、膨張チューブは、例えば、導管がデバイスから取り外された場合に、導管が膨張チューブの長さに沿って移動するのを助ける長さをもつ。好ましくは、係留手段は、コネクタが膨張チューブの長さに沿って自由に動くのを助ける。好都合には、このことは、コネクタの気道チューブからの取り外しの間の大きな柔軟性を可能にする。
【００２３】
１つの実施形態において、膨張チューブをコネクタに係留する係留手段は、膨張チューブがコネクタ２から取り外し可能でないように膨張チューブを係留状態に保持する。都合には、この実施形態は、コネクタが、気道チューブから取り外された後に膨張チューブから偶発的に外れるのを阻止する。
【００２４】
好ましくは、コネクタプレートは、コネクタが気道デバイスに係留されるように膨張チューブを保持するための手段を備えている。
【００２５】
好ましくは、係留手段は、コネクタプレートの中に設けられた少なくとも１つの開口を備えている。好ましくは、少なくとも１つの開口は、コネクタプレートの中に設けられた閉じた開口である。好ましくは、膨張チューブは、閉じた開口の中に保持される。
【００２６】
この実施形態において、膨張チューブがコネクタによって係留されて係留状態で保持されるように、少なくとも１つの開口１６は閉じており、膨張チューブはコネクタから外れることができない。
【００２７】
別の実施形態において、係留手段は、膨張チューブをコネクタに取り付けること及び／又はそこから取り外すのを可能にする。好都合には、この実施形態は、係留手段で可逆的に取り付け及び／又は取り外しができるので、医学的手技の間にコネクタの使用を必要とする場合に臨床医に対して柔軟性をもたらす。
【００２８】
１つの実施形態において、係留手段は、１箇所が開いている少なくとも１つの開口を備えている。好ましくは、少なくとも１つの開いた開口は、膨張チューブをコネクタに取り付けること及び／又はそこから取り外すことを可能にするクリップを形成する。好ましくは、少なくとも１つの開いた開口は、コネクタプレート上に設けられる。好ましくは、クリップは、膨張チューブをコネクタに取り付けること及び／又はそこから取り外すことを可能にする。好ましくは、クリップはコネクタ上に設けられる。好ましくは、クリップはコネクタプレート上に設けられる。
【００２９】
好ましくは、コネクタ上に設けられた少なくとも１つの開いた又は閉じた開口の直径及び膨張チューブの直径は、膨張チューブが少なくとも１つの開いた又は閉じた開口の中を自由に滑動できるように構成されている。好ましくは、コネクタ上の少なくとも１つの開いた又は閉じた開口の直径及び膨張チューブの寸法は、膨張チューブが少なくとも１つの開いた又は閉じた開口の中を自由に滑動できるように構成されている。好ましくは、開いた又は閉じた開口の直径は、約０．４から０．５ｍｍの間である。好ましくは、膨張チューブの直径は約０．２から０．３ｍｍの間である。
【００３０】
好ましくは、コネクタプレートは、凹部を備えることができる。好ましくは、凹部は、開口の反対側でコネクタプレートの側面に設けられている。１つの実施形態において、凹部は、開口の近くでコネクタプレートの側面に設けることができる。凹部は、３つの実質的に真っ直ぐな側面を有する切り欠き部の形で設けられる。好都合には、凹部は、コネクタを気道チューブから取り外すのを助けることができる。
【００３１】
一般的に、カフスは膨張可能である。好ましくは、膨張チューブは、膨張を指示するための手段、又はカフス内部の圧力を監視する及び／又は制御するための手段に取り付けられている。１つの実施形態において、膨張チューブは、従来から知られている一方向弁に取り付けられる。他の実施形態において、カフスは膨張不可とすることができる。
【００３２】
好ましくは、膨張チューブは、この膨張チューブから切り離すことができるカフス圧力監視装置又はパイロット弁を含むことができる。好都合には、カフス圧力監視装置又はパイロット弁は、カフス圧力の損失なしに膨張チューブから切り離すことができる。
【００３３】
好ましくは、カフスは、略楕円形状であり、膨張チューブの一端がシールされるポートが形成されている。好ましくは、膨張チューブは可撓性プラスチックチューブである。
【００３４】
好ましくは、コネクタは、別個のバイトブロックに接続される。別の実施形態において、コネクタは、一体のバイトブロックを備えている。好ましくは、コネクタの導管は、バイトブロックを備えることができる。
【００３５】
好ましくは、コネクタの導管（すなわち、気道チューブの中に挿入される部分）は一定の直径を有する。好ましくは、コネクタの導管の直径は、約０．８から１．２ｃｍの間である。より好ましくは、コネクタの導管の直径は約１．０ｃｍである。
【００３６】
１つの実施形態において、コネクタはプラスチック材料から成る。好ましくは、コネクタはＰＶＣから成る。
１つの実施形態において、人工気道デバイスはラリンジアルマスクデバイスである。１つの実施形態において、人工気道デバイスは、小児科ラリンジアルマスクデバイスである。
【００３７】
第２の態様によれば、患者の肺換気を促進するための人工気道デバイスが提供され、このデバイスは、ルーメンを含む気道チューブと、気道チューブの一端のマスクとを備え、マスクは、バックプレートを含むと共に喉頭口の周囲の周りにシールを形成することができるカフスを有し、カフスは、マスクの中空の内部空間又はルーメンを取り囲み、気道チューブは、マスクのルーメンの中に開口し、デバイスは、さらに、カフスを選択的に膨張及び／又は収縮させるための膨張チューブと、気道チューブの近位端に配置された取り外し可能なコネクタとを備え、コネクタは、気道チューブのルーメンの中に挿入することができる導管を備え、コネクタは、気道チューブのルーメンから取り外して交換できるように構成されている。
【００３８】
好ましくは、導管は、コネクタを気道チューブのルーメンから取り外すのを可能にするように構成されることができる。好都合には、取り外し可能なコネクタを提供することで、臨床医に医学的手技の間の大きな柔軟性をもたらす。好都合には、気道デバイスから導管を取り外すことによって、他のコネクタを気道チューブに接続することができ、及び／又は、気道チューブの操作を行うこと及び／又は気道チューブを通じて他のデバイスを挿入することができる。
【００３９】
コネクタの導管は、気道チューブのルーメンの内面と協働することができる複数の外部円周方向の摩擦低減構造体を有することで気道チューブのルーメンから取り外すのに適することができることが好ましい。１つの実施形態において、気道チューブのルーメンの内面は、導管の外面と協働することができる複数の円周方向の摩擦低減構造体を備えることができる。１つの実施形態において、コネクタの導管の外面は、滑らかである。別の実施形態において、コネクタの導管の外面は、気道チューブのルーメンの内面の対応するねじと協働するねじ山を備えることができる。別の実施形態において、コネクタの導管の外面は、気道チューブとの押込み嵌め又は摩擦嵌めによって、気道チューブのルーメンの内面と協働することができる。好都合には、協働手段及び／又は他の協働手段及び／又はコネクタの導管の外面と気道チューブのルーメンの内面との間の摩擦嵌めによって、コネクタの導管は、デバイスの使用時に気道チューブの中の所定位置にしっかり保持することができ、さらにコネクタは、必要な場合に気道チューブから取り外すことができる。
【００４０】
コネクタの導管は、気道チューブの近位端に設けられた予め形成されたコネクタセクションから取り外すのに適することができることが好ましい。好ましくは、気道チューブの予め形成されたコネクタセクションは、コネクタを収容する大きさである。好ましくは、予め形成されたコネクタセクションは、気道チューブの遠位端の直径よりも広い直径を有する。
【００４１】
好ましくは、気道チューブの遠位端は、略円形の直径を有し、気道チューブの遠位端の上側及び下側での壁厚は、気道チューブの遠位端の左側及び右側での壁厚と実質的に同じである。
【００４２】
好ましくは、気道チューブの予め形成されたコネクタセクションの内面は、コネクタの導管の外面と協働することができる複数の円周方向の摩擦低減構造体を備えることができる。好都合には、このことは、デバイスの使用時にコネクタを気道チューブの中の所定位置にしっかりと保持するのを可能にすると同時に、必要な場合にコネクタを気道チューブから取り外すのを可能にする。
【００４３】
好ましくは、気道チューブの予め形成されたコネクタセクションは、略楕円形である。好ましくは、気道チューブの予め形成されたコネクタセクションの上部及び下部での壁厚は、気道チューブの予め形成されたコネクタセクションの左側及び右側での壁厚よりも大きい。好都合には、気道チューブの予め形成されたコネクタセクションの楕円形は、気道チューブの中にしっかりと保持するのを助けると同時に、必要な場合にコネクタを気道チューブから取り外すのを可能にする。
【００４４】
好ましくは、コネクタは、コネクタを人工気道デバイスに係留する係留手段を備えている。好ましくは、係留手段は、コネクタの一部に係合する膨張チューブを包む。
【００４５】
好ましくは、コネクタは、膨張チューブの長さに沿って自由に動くことができる。好ましくは、膨張チューブは、コネクタが膨張チューブの長さに沿って移動するのを助ける長さをもつ。好ましくは、係留手段は、コネクタが膨張チューブの長さに沿って自由に動くのを可能にする。好都合には、このことは、コネクタの気道チューブからの取り外しの間の大きな柔軟性を可能にする。
【００４６】
１つの実施形態において、係留手段は、膨張チューブがコネクタ２から取り外し可能でないように膨張チューブを係留状態に保持する。好都合には、この実施形態は、コネクタが、気道チューブから取り外された後に膨張チューブから偶発的に外れるのを阻止する。この実施形態において、コネクタは、コネクタが気道チューブから取り外された後でも膨張チューブに取り付いたままである。
【００４７】
好ましくは、コネクタは、気道チューブのルーメンの中に挿入することができるルーメンを定める円周方向壁を有する導管を備えている。好ましくは、コネクタは、導管を取り囲むコネクタプレートを備えている。好ましくは、コネクタプレートは、導管の軸線に対して実質的に直交する角度で導管から延びる。好ましくは、コネクタプレートは、コネクタを膨張チューブに係留する係留手段を備えている。
【００４８】
好ましくは、係留手段は、コネクタプレートの中に設けられた少なくとも１つの開口を備えている。好ましくは、少なくとも１つの開口は、コネクタプレートの中に設けられた閉じた開口である。この実施形態において、膨張チューブがコネクタによって係留されて係留状態で保持されるように、少なくとも１つの開口１６は閉じており、膨張チューブはコネクタから外れることができない。
【００４９】
別の実施形態において、係留手段は、膨張チューブをコネクタに取り付けること及び／又はそこから取り外すのを可能にする。好都合には、この実施形態は、医学的手技の間にコネクタの使用を必要とする場合に臨床医に対して柔軟性をもたらす。この実施形態において、コネクタは、デバイスにもはや必要とされない場合には取り外すことができる（例えば、別のコネクタが使用される場合）。
【００５０】
係留手段は、膨張チューブをコネクタに取り付けること及び／又はそこから取り外すことを可能にするクリップを備えている。好ましくは、コネクタは、膨張チューブをコネクタに取り付けること及び／又はそこから取り外すことを可能にするクリップを備えている。好ましくは、クリップは、コネクタプレート上に設けられる。１つの実施形態において、係留手段は、１箇所が開いている少なくとも１つの開口を備えている。好ましくは、少なくとも１つの開いた開口は、クリップを形成し、膨張チューブは、選択的にコネクタに取り付けること及び／又はそこから取り外すことができる。好ましくは、少なくとも１つの開いた開口は、コネクタプレート上に設けられる。この実施形態において、コネクタは、膨張チューブをクリップで留めることができ、膨張チューブをコネクタに取り付けること及びそこから取り外すことが可能になる。
【００５１】
好ましくは、コネクタ上の少なくとも１つの開いた又は閉じた開口の直径及び膨張チューブの直径は、膨張チューブが少なくとも１つの開いた又は閉じた開口の中を自由に滑動できるように構成されている。好ましくは、コネクタ上の少なくとも１つの開いた又は閉じた開口の直径及び膨張チューブの寸法は、膨張チューブが少なくとも１つの開いた又は閉じた開口の中を自由に滑動できるように構成されている。好ましくは、開いた又は閉じた開口の直径は、約０．４から０．５ｍｍの間であり、好ましくは、膨張チューブの直径は約０．２から０．３ｍｍの間である。
【００５２】
好ましくは、コネクタプレートは、凹部を備えている。好ましくは、凹部は、開口の反対側でコネクタプレートの側面に設けられている。１つの実施形態において、凹部は、開口の近くでコネクタプレートの側面に設けることができる。凹部は、３つの実質的に真っ直ぐな側面を有する切り欠き部の形で設けられる。好都合には、凹部は、コネクタを気道チューブから取り外すのを助けることができる。
【００５３】
一般的に、カフスは膨張可能である。好ましくは、膨張チューブは、カフス内部の圧力を監視する及び／又は制御するための手段に取り付けられている。１つの実施形態において、膨張チューブは、従来から知られているような一方向弁に接続されている。他の実施形態において、カフスは膨張不可とすることができる。
【００５４】
好ましくは、膨張チューブは、この膨張チューブから切り離すことができるカフス圧力監視装置又はパイロット弁を含むことができる。好都合には、カフス圧力監視装置又はパイロット弁は、カフス圧力の損失なしに膨張チューブから切り離すことができる。
【００５５】
好ましくは、デバイスは、コネクタとは別個のバイトブロックを備えている。他の実施形態において、デバイスは、コネクタと一体のバイトブロックを備えている。好ましくは、コネクタの導管は、バイトブロックを備えることができる。
【００５６】
好ましくは、コネクタの導管（すなわち、気道チューブの中に挿入される部分）は一定の直径を有する。好ましくは、コネクタの導管の直径は、約０．８から１．２ｃｍの間である。より好ましくは、コネクタの導管の直径は約１．０ｃｍである。
【００５７】
好ましくは、人工気道デバイスは、ＰＶＣ及び／又はシリコーンなどのプラスチック材料から成る。好ましくは、コネクタはＰＶＣから成る。好ましくは、膨張チューブはシリコーンから成る。
【００５８】
第３の態様によれば、取り外し可能なコネクタを備えている人工気道デバイスを使用する方法が提供される。
好ましくは、この方法は、コネクタを膨張チューブに係留するステップを含む。
【００５９】
好ましくは、取り外し可能なコネクタを備えている人工気道デバイスを使用する方法が提供され、コネクタは、膨張チューブに係留される。
好ましくは、この方法は、本発明の第１の態様による取り外し可能なコネクタを備えている本発明の第２の態様による人工気道デバイスを使用することを含み、コネクタは、膨張チューブに係留される。
【００６０】
第４の態様によれば、本発明の第２の態様による人工気道デバイスを用いて患者を治療する方法が提供される。
本発明は、例示的に添付図面を参照して以下に詳細に説明される。
【図面の簡単な説明】
【００６１】
【図１】本発明の実施形態による人工気道デバイス及び取り外し可能なコネクタの側面図である。
【図２】本発明の実施形態による人工気道デバイス及び取り外し可能なコネクタの前方側面図である。
【図３ａ】本発明の１つの実施形態による取り外し可能なコネクタの概略図である。
【図３ｂ】本発明の１つの実施形態による膨張チューブと組み合わせた取り外し可能なコネクタの概略図である。
【図４ａ】本発明の他の実施形態による取り外し可能なコネクタの概略図である。
【図４ｂ】本発明の実施形態による膨張チューブと組み合わせた取り外し可能なコネクタの概略図である。
【図５ａ】図３ａに示す実施形態による取り外し可能なコネクタの上方側面図である。
【図５ｂ】図４ａに示す実施形態による取り外し可能なコネクタの上方側面図である。
【図６ａ】本発明の実施形態による気道チューブ及び膨張チューブと組み合わせた取り外し可能なコネクタの側面図である。
【図６ｂ】本発明の実施形態による膨張チューブと組み合わせた取り外し可能なコネクタの側面図であり、コネクタは気道チューブから取り外されている。
【図７ａ】本発明の実施形態による膨張チューブと組み合わせた取り外し可能なコネクタの側面図である。
【図７ｂ】本発明の実施形態による取り外し可能なコネクタの側面図であり、コネクタは膨張チューブから取り外されている。
【図８】本発明の実施形態によるコネクタと共に用いることができる気道チューブの一部の斜視端面図である。
【図９】本発明の実施形態による取り外し可能なコネクタの端面図である。
【発明を実施するための形態】
【００６２】
図面を参照すると、人工気道デバイス４と共に使用するための取り外し可能なコネクタ２が提示され、人工気道デバイス４は、気道チューブ６、カフス８、及びカフス８を選択的に膨張及び／又は収縮させるための膨張チューブ１０を備え、コネクタ２は、気道チューブ６のルーメン１４の中に挿入することができる導管１２を備え、コネクタ２は、気道チューブ６のルーメン１４から取り外して交換するように構成されている。
【００６３】
導管１２は、コネクタ２を気道チューブ６のルーメン１４から取り外すことができるように構成されている。好都合には、取り外し可能なコネクタを提供することは、臨床医に医学的手技の間に大きな柔軟性をもたらす。好都合には、コネクタ２を気道デバイス４から取り外すこにより、他のコネクタを接続することができる、及び／又は、気道チューブの操作及び／又は気道チューブを通して他のデバイスの挿入を行うことができる。
【００６４】
図１及び２に示すように、コネクタ２の導管１２は、気道チューブ６のルーメン１４の内面と摩擦嵌めの状態にすることで、気道チューブ６のルーメン１４から取り外すのに適している。この実施形態において、気道チューブ６のルーメン１４の内面は、コネクタ２の導管１２の外面と協働する複数の円周方向の摩擦低減構造体１８を備えている。好都合には、摩擦低減構造体及び／又は他の協働手段及び／又はコネクタの導管１２の外面と気道チューブのルーメン１４の内面との間の摩擦嵌めによって、導管１２は、デバイスの使用時に気道チューブ６の中の所定位置にしっかり保持することができ、さらにコネクタ２は、必要な場合に気道チューブ６から取り外すことができる。
【００６５】
コネクタ２の導管１２は、気道チューブ６の近位端に設けられた予め形成されたコネクタセクション４０から取り外すのに適しており、気道チューブの予め形成されたコネクタセクション４０は、コネクタ２を収容する大きさである。例えば、図２に示すように、気道チューブの予め形成されたコネクタセクション４０は、気道チューブの遠位端５２の直径よりも広い直径を有する。
【００６６】
例えば、図１に示すように、気道チューブ２の遠位端は、略円形の直径を有し、気道チューブの遠位端の上側及び下側での壁厚は、気道チューブの遠位端の左側及び右側での壁厚と実質的に同じである。
【００６７】
図８を参照すると、気道チューブの予め形成されたコネクタセクション４０の近位端は、略楕円形である。好ましくは、気道チューブの予め形成されたコネクタセクションの上部４０ａ及び下部４０ｂでの壁厚は、気道チューブの予め形成されたコネクタセクションの左側４０ｃ及び右側４０ｄでの壁厚よりも大きい。好都合には、気道チューブの予め形成されたコネクタセクションの楕円形は、気道チューブの中にしっかりと保持するのを助けると同時に、必要な場合にコネクタを気道チューブから取り外すのを可能にする。
【００６８】
コネクタ２は、コネクタ２を人工気道デバイス４に係留する手段を備えている。係留手段は、コネクタ２の一部と係合する膨張チューブ１０を包む。
【００６９】
コネクタ２は、膨張チューブ１０の長さに沿って自由に動くことができる。係留手段によって、コネクタは膨張チューブの長さに沿って自由に動くことができる。好都合には、これは、コネクタ２の気道チューブ６からの取り外しの間の大きな柔軟性をもたらす。この実施形態において、膨張チューブ１０の長さは、気道チューブ６の長さよりも長く、コネクタ２は、膨張チューブ１０の長さに沿って動くことができ、気道チューブ６をコネクタ２から取り外すのを助けるようになっている。
【００７０】
図３ａ、３ｂ、５ａ、６ａ及び６ｂに示す実施形態において、係留手段１６は、膨張チューブ１０がコネクタ２から取り外し可能でないように膨張チューブ１０を係留状態に保持する。好都合には、この実施形態は、コネクタ２が、気道チューブ６から取り外された後に膨張チューブ１０から偶発的に外れるのを阻止する。
【００７１】
コネクタ２は、気道チューブのルーメン１４の中に挿入することができるルーメンを定める円周方向壁を有する導管１２を備えている。コネクタは、導管１２を取り囲むコネクタプレート２０を備えている。コネクタプレート２０は、導管１２の軸線に対して実質的に直交する角度で導管１２から延びる。コネクタプレート２０は、膨張チューブ１０の係留手段１６を備えている。
【００７２】
図３ａ、３ｂ、５ａ、６ａ及び６ｂに示す実施形態において、係留手段は、コネクタプレートの中に設けられた少なくとも１つの開口１６を備えている。この実施形態において、少なくとも１つの開口１６は、閉じた開口であり、コネクタプレート２０の中に設けられる。この実施形態において、膨張チューブ１０がコネクタ２によって係留されて係留状態で保持されるように、少なくとも１つの開口１６は閉じており、膨張チューブ１０はコネクタ２から外れることができない。
【００７３】
図４ａ、４ｂ、５ｂ、７ａ及び７ｂに示す他の実施形態において、係留手段１６は、膨張チューブ１０をコネクタ２に取り付けること及び／又はそこから取り外すのを可能にする。好都合には、この実施形態は、医学的手技の間にコネクタの使用を必要とする場合に臨床医に対して柔軟性をもたらす。
【００７４】
図４ａ、４ｂ、５ｂ、７ａ及び７ｂに示すように、係留手段１６は、膨張チューブ１０をコネクタ２に取り付けること及び／又はそこから取り外すことを可能にするクリップ２２を備えている。この実施形態において、コネクタ２は、膨張チューブ１０をコネクタ２に取り付けること及び／又はそこから取り外すことを可能にするクリップ２２を備えている。この実施形態において、クリップ２２は、コネクタプレート２０上に設けられる。この実施形態において、係留手段は、１箇所が開いている少なくとも１つの開口１６を備え、少なくとも１つの開いた開口１６は、クリップ２２を形成し、膨張チューブ１０は、選択的にコネクタ２に取り付けること及び／又はそこから取り外すことができる。この実施形態において、少なくとも１つの開いた開口１６は、コネクタプレート２０上に設けられている。
【００７５】
コネクタ上の少なくとも１つの開いた又は閉じた開口の直径及び膨張チューブの直径は、膨張チューブが少なくとも１つの開いた又は閉じた開口の中を自由に滑動できるように構成されている。好ましくは、開いた又は閉じた開口の直径は、約０．４から０．５ｍｍの間であり、好ましくは、膨張チューブの直径は約０．２から０．３ｍｍの間である。
【００７６】
図１、４ａ、５ｂ及び９に示すように、コネクタプレートは、凹部５０を備えている。好ましくは、凹部５０は、開口１６の反対側でコネクタプレートの側面に設けられている。１つの実施形態において、凹部５０は、開口１６の近くでコネクタプレートの側面に設けることができる。凹部は、３つの実質的に真っ直ぐな側面を有する切り欠き部の形で設けられる。好都合には、凹部は、コネクタを気道チューブから取り外すのを助ける。
【００７７】
一般的に、カフス８は膨張可能である。好ましくは、膨張チューブは、カフス内部の圧力を監視する及び／又は制御するための手段２４に取り付けられている。他の実施形態において、カフスは膨張不可とすることができる。図１及び２に示す実施形態において、膨張チューブ１０は、ＣｕｆｆＰｉｌｏｔ（商標）に接続されている。膨張チューブ１０は、この膨張チューブから切り離すことができるカフス圧力監視装置又はパイロット弁を備えている。好都合には、カフス圧力監視装置又はパイロット弁は、カフス圧力の損失なしに膨張チューブから切り離すことができる。
【００７８】
一般的に、コネクタ２は、別個のバイトブロックに接続される。他の実施形態において、コネクタは、一体バイトブロックを備えている。好ましくは、コネクタの導管は、バイトブロックを備えることができる。
【００７９】
好ましくは、コネクタの内部導管（すなわち、気道チューブに挿入される部分）は一定の直径を有する。好ましくは、コネクタの内部導管の直径は、約０．８から１．２ｃｍの間である。より好ましくは、コネクタの内部導管の直径は約１．０ｃｍである。
【００８０】
一般的に、コネクタ２は、プラスチック材料から成る。好ましくは、コネクタ２は、ＰＶＣから成る。
【００８１】
１つの実施形態において、人工気道デバイス４はラリンジアルマスクデバイスである。１つの実施形態において、人工気道デバイス４はラリンジアルマスクデバイスである。
【００８２】
図１及び２を参照すると、患者の肺換気を助ける人工気道デバイス４が設けられており、ルーメン１４を有する気道チューブ６及び気道チューブの一端のマスク２６を備えており、マスクは、バックプレート２８を含むと共に喉頭口の周囲の周りでシールを形成することができるカフス８を有し、カフス８は、マスクの中空の内部空間又はルーメン３０を取り囲み、気道チューブ６は、マスクのルーメンの中に開口し、人工気道デバイス４は、さらに、カフス８を選択的に膨張及び／又は収縮させるための膨張チューブ１０と、気道チューブ６の近位端に配置された取り外し可能なコネクタ２とを備え、コネクタ２は、気道チューブ６のルーメン１４の中に挿入することができる導管１２を備え、コネクタ２は、気道チューブ６のルーメン１４から取り外して交換できるようになっている。
【００８３】
コネクタ２は、気道チューブ６のルーメン１４の中に挿入することができる導管１２を備えている。導管１２は、コネクタ２を気道チューブ６のルーメン１４から取り外すのを可能にするように構成することができる。好都合には、取り外し可能なコネクタ２を提供することで、臨床医に医学的手技の間の大きな柔軟性をもたらす。好都合には、気道デバイス４から導管１２を取り外すことによって、他のコネクタを気道チューブに接続することができ、及び／又は、気道チューブの操作を行うこと及び／又は気道チューブを通じて他のデバイスを挿入することができる。
【００８４】
図１及び２に示すように、デバイス４は、コネクタ２を人工気道デバイス４に係留する手段１６を備えている。係留手段は、コネクタ２の一部と係合する膨張チューブ１０を包む。
【００８５】
図１及び２に示すように、コネクタ２は、膨張チューブ１０の長さに沿って自由に動くことができる。好ましくは、係留手段によって、コネクタは膨張チューブの長さに沿って自由に動くことができる。好都合には、これは、コネクタ２を気道チューブ６から取り外す間の大きな柔軟性をもたらす。
【００８６】
一般的に、カフス８は膨張可能である。好ましくは、膨張チューブは、カフス内部の圧力を監視する及び／又は制御するための手段２４に取り付けられている。１つの実施形態において、膨張チューブは、従来から知られているような一方向弁に接続されている。図１及び２に示す実施形態において、膨張チューブは、ＣｕｆｆＰｉｌｏｔ（商標）に接続されている。
【００８７】
膨張チューブ１０は、この膨張チューブから切り離すことができるカフス圧力監視装置（４８）又はパイロット弁を含むことができる。好都合には、カフス圧力監視装置又はパイロット弁は、カフス圧力の損失なしに膨張チューブから切り離すことができる。一般的に、デバイス４は、コネクタ２とは別個のバイトブロックを備えている。他の実施形態において、デバイス４は、コネクタ２と一体のバイトブロックを備えている。好ましくは、コネクタの導管１２は、バイトブロックを備えることができる。
【００８８】
コネクタの導管１２（すなわち、気道チューブの中に挿入される部分）は一定の直径を有する。好ましくは、コネクタの導管の直径は、約０．８から１．２ｃｍの間である。より好ましくは、コネクタの導管の直径は約１．０ｃｍである。
【００８９】
好ましくは、人工気道デバイス４は、ＰＶＣ及び／又はシリコーンなどのプラスチック材料から成る。好ましくは、コネクタ２はＰＶＣから成る。好ましくは、膨張チューブ１０はシリコーンから成る。
【００９０】
１つの実施形態において、人工気道デバイス４はラリンジアルマスクデバイスである。１つの実施形態において、人工気道デバイス４はラリンジアルマスクデバイスである。
【００９１】
図１及び２を参照すると、本発明の第２の態様による人工気道デバイス４を使用する方位が提供され、本発明の第１の態様による取り外し可能なコネクタ２を備えており、コネクタ２は、膨張チューブ１０に係留される。
【００９２】
図１及び２を参照すると、本発明の第２の態様による人工気道デバイスを使用して患者を係留する方法が提示されている。
【００９３】
使用時、人工気道デバイス４は、気道を確保するために患者の中に挿入される。組み立て状態では、コネクタ２の導管１２は、摩擦嵌めによって所定位置に保持するために気道チューブ６の中のルーメン１４の中に挿入され、コネクタの導管の外面は、近位端において気道チューブ６のルーメン１４の内面に形成された複数の円周方向構造体１８に係合する。組み立て状態では、コネクタ２は、気道チューブ６の中にしっかり保持され、そこから偶発的に外れることはないであろう。従来技術のデバイスとは対照的に、コネクタ２は、気道チューブ６のルーメン１４から解除するためにコネクタ２を操作及び／又は引っ張ることによって気道チューブ６のルーメン１４から取り外すことができる。コネクタ２の導管１２と気道チューブ６のルーメン１４との間の摩擦嵌めにより、コネクタ２の取り外しは、臨床医による最小労力で実現することができる。コネクタ２を気道チューブ６から取り外すことは、臨床医に大きな柔軟性をもたらし、例えば、代替のコネクタを気道デバイスに使用することができ及び／又は臨床医が気道デバイスの気道チューブにアクセスするのを可能にする。
【００９４】
コネクタ２の導管１２は、気道チューブの近位端に設けられた予め形成されたコネクタセクション４０から取り外すのに適することができる。
【００９５】
コネクタ２は、コネクタ２を人工気道デバイス４に係留する手段１６を備えている。これは、コネクタ２が気道チューブ６に取り付けられた場合及びコネクタ２が気道チューブ６から取り外された場合に、コネクタを人工気道デバイスに残すのを可能にするので好都合である。好都合には、これは、手技の間にコネクタが偶発的に失われるのを阻止し、コネクタは、気道チューブから一時的に取り外され、手技の後の段階で気道チューブに再び取り付けることができる。
【００９６】
図面を参照すると、コネクタを気道デバイス４に係留する手段は、コネクタ２の一部に係合する膨張チューブ１０を包む。
【００９７】
１つの実施形態において、コネクタを気道デバイスに係留する手段は、コネクタプレート２０の中の閉じた開口１６を備えている。この実施形態において、膨張チューブ１０は、コネクタプレート２０の中に係留状態で保持され、そこから外れることはできない。この実施形態は、手技の間にコネクタ２が偶発的に膨張チューブ１０から外れるない利点を有する。
【００９８】
コネクタの少なくとも１つの開いた又は閉じた開口の直径及び膨張チューブの直径は、膨張チューブが少なくとも１つの開いた又は閉じた開口の中を自由に滑動できるように構成されている。
【００９９】
他の実施形態において、コネクタを気道デバイスに係留する手段は、コネクタプレート２０の中でクリップ２２の形態で提供することができる開いた開口１６を備えている。この実施形態において、膨張チューブ１０は、コネクタ２に取り付けること及び／又はそこから取り外すことができ、臨床医に大きな柔軟性をもたらす。
【０１００】
膨張チューブ１０の長さは、気道チューブ６の長さよりも長い。コネクタは、膨張チューブ１０の長さに沿って自由に動くことができる。好都合には、このことは、膨張チューブ１０をコネクタ２に係留しながら、コネクタ２を気道チューブ６から取り外すのを助ける。
【符号の説明】
【０１０１】
２  コネクタ
６  気道チューブ
１０  膨張チューブ
１２  導管
１６  開口
２０  コネクタプレート
【図１】
2021529616.tif 000003
【図２】
2021529616.tif 000004
【図３ａ】
2021529616.tif 000005
【図３ｂ】
2021529616.tif 000006
【図４ａ】
2021529616.tif 000007
【図４ｂ】
2021529616.tif 000008
【図５ａ】
2021529616.tif 000009
【図５ｂ】
2021529616.tif 000010
【図６ａ】
2021529616.tif 000011
【図６ｂ】
2021529616.tif 000012
【図７ａ】
2021529616.tif 000013
【図７ｂ】
2021529616.tif 000014
【図８】
2021529616.tif 000015
【図９】
2021529616.tif 000016
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
患者の肺換気を促進するための人工気道デバイスであって、前記人工気道デバイスは、
ルーメンを含む気道チューブと、
前記気道チューブの一端のマスクと、
を備え、
前記マスクは、バックプレートを含むと共に喉頭口の周囲の周りにシールを形成することができるカフスを有し、前記カフスは、前記マスクの中空の内部空間又はルーメンを取り囲み、前記気道チューブは、前記マスクの前記ルーメンの中に開口し、
前記人工気道デバイスは、さらに、
前記カフスを選択的に膨張及び／又は収縮させるための膨張チューブと、
前記気道チューブの近位端に配置された取り外し可能なコネクタと、
を備え、
前記コネクタは、前記気道チューブのルーメンの中に挿入することができる導管を備えている、デバイス。
【請求項２】
前記導管の前記外面は、前記気道チューブのルーメンの前記内面の対応するねじと協働するねじ山を備えている、請求項１に記載のデバイス。
【請求項３】
前記導管の前記外面は、前記気道チューブとの押込み嵌め又は摩擦嵌めによって、前記気道チューブのルーメンの内面と協働する、請求項１に記載のデバイス。
【請求項４】
前記コネクタは、前記導管を取り囲むコネクタプレートを備えている、請求項１乃至３のいずれか１項に記載のデバイス。
【請求項５】
前記コネクタプレートは、前記導管の軸線に対して略直交する角度で前記導管から延びている、請求項４に記載のデバイス。
【請求項６】
前記コネクタは、前記コネクタを前記人工気道デバイスに係留する手段を備える、請求項４又は５に記載のデバイス。
【請求項７】
前記コネクタは、このコネクタが前記気道チューブから取り外されるときに、前記膨張チューブの長さに沿って自由に動くように構成される、請求項６に記載のデバイス。
【請求項８】
前記係留手段は、前記コネクタの一部と係合する前記膨張チューブを包む、請求項６又は７に記載のデバイス。
【請求項９】
前記係留手段は、前記コネクタプレートの中に設けられた少なくとも１つの開口を含む、請求項６乃至８のいずれか１項に記載のデバイス。
【請求項１０】
前記係留手段は、前記膨張チューブが前記コネクタから取り外し不可能であるように、前記膨張チューブを係留状態で保持する、請求項６乃至９のいずれか１項に記載のデバイス。
【請求項１１】
前記少なくとも１つの開口は、前記コネクタプレートの素材の中に設けられた閉じた開口である、請求項１０に記載のデバイス。
【請求項１２】
前記係留手段は、前記膨張チューブを前記コネクタに取り付けること及び／又はそこから取り外すことを可能にする、請求項６乃至９のいずれか１項に記載のデバイス。
【請求項１３】
前記少なくとも１つの開口は、前記コネクタプレートの素材の中に設けられた開いた開口である、請求項１２に記載のデバイス。
【請求項１４】
前記コネクタは、前記コネクタと一体のバイトブロックを備えている、請求項１乃至１３のいずれか１項に記載のデバイス。
【請求項１５】
前記膨張チューブは、前記膨張チューブから切り離すことができるカフス圧力監視装置又はパイロット弁を備えている、請求項１乃至１４のいずれか１項に記載のデバイス。
【国際調査報告】
2021529616.tif 000017
2021529616.tif 000018